(57)【要約】  【課題】  緊急機関からＣＲ信号（折り返し信号）を受信した際にベル鳴動を行ってユーザに知らせることができるファクシミリ装置を提供する。  【解決手段】  １６Ｈｚの呼出信号を受信した際に、電話回線６を開放した状態で、受信した呼出信号のオン区間が所定時間以上（例えば６秒以上）連続したか否かをタイマ２９の計時結果に基づいて判断し、オン区間が６秒以上連続した場合には、その呼出信号が緊急機関からのＣＲ信号であると判断して、ファクシミリ装置１を鳴動状態に設置する。この際、着信（回線閉結）してから、第１リレー３８を接点ｂ側に切り換えて直流電源供給回路３７側に第１電話機４を接続して第１電話機４で擬似ベルの鳴動状態を作り出しても良いし、または、擬似ベル鳴動ではなく、受信したＣＲ信号をそのまま第１電話機４に送ってベルを鳴動させても良い。【選択図】      図１
2007082150.tif 000002
【特許請求の範囲】
【請求項１】
受信した呼出信号のオン区間及び／またはオフ区間の時間に基づいて前記呼出信号の種類を判別し、判別した呼出信号の種類に応じた処理を実行するファクシミリ装置において、前記呼出信号のオン区間が所定時間以上連続するか否かを検知する検知手段と、前記呼出信号のオン区間が前記所定時間以上連続した場合に、鳴動状態に設定する設定手段とを備えることを特徴とするファクシミリ装置。
【請求項２】
受信した端末指定信号に基づいて着信先端末を切り替えるダイヤルイン機能を有するファクシミリ装置において、着信後に回線が閉結した状態で所定時間にわたり前記端末指定信号を受信したか否かを検知する検知手段と、前記所定時間にわたって前記端末指定信号を受信しない場合に、鳴動状態に設定する設定手段とを備えることを特徴とするファクシミリ装置。
【請求項３】
発信元電話番号の通知サービスを受ける機能を有するファクシミリ装置において、前記通知サービスのためのＩＤ端末起動信号を受信しない状態で所定回数以上の呼出信号を受信したか否かを検知する検知手段と、前記所定回数以上の呼出信号を受信した場合に、鳴動状態に設定する設定手段とを備えることを特徴とするファクシミリ装置。
【発明の詳細な説明】
【技術分野】
【０００１】
本発明は、ファクシミリ装置に関し、特に、警察署、消防署などの緊急機関からの折り返し信号に対して確実に鳴動するようにしたファクシミリ装置に関するものである。
【背景技術】
【０００２】
警察署（１１０）、消防署（１１９）などの緊急機関へダイヤルした後に、電話機をもどした（オンフックとした）場合、内容確認のためにその緊急機関から電話がかかってくる。このときのＣＩ信号（呼出信号）は、ＣＲ信号（折り返し信号）と呼ばれており、１６Ｈｚの連続信号（連続ベル）として送出される。
【０００３】
このような折り返しシステムにあって、緊急機関からのＣＲ信号（折り返し信号）を、緊急機関に通報を行った内線電話端末機へ正しく着信させる技術が開示されている（特許文献１参照）。
【特許文献１】特開２００１−６９５４０号公報
【発明の開示】
【発明が解決しようとする課題】
【０００４】
ところで、ユーザの選択に応じて設定されるファクシミリ装置の待機モードには、発信元番号通知サービス待機モード（ナンバーディスプレイ待機モード）、ＦＡＸ／ＴＥＬ待機モード、ダイヤルイン待機モード、モデムダイヤルイン待機モードなど種々の待機モードが存在する。モデムダイヤルイン待機モードは、発信元番号通知サービス待機モードの機能とダイヤルイン待機モードの機能とを併せ持った待機モードである。上述したようなＣＲ信号（折り返し信号）が緊急機関から送信された場合には、ユーザに知らせるためにファクシミリ装置をベルが鳴る鳴動状態にしておく必要があるが、これらの待機モードにあっては、オン区間／オフ区間の時間の判別結果に基づいて鳴動状態を設定するようにしているため、従来では、オフ区間がないＣＲ信号を受信した場合にファクシミリ装置を鳴動状態に設定することができず、ユーザに緊急機関からの連絡を通知できないという問題がある。
【０００５】
よって、オフ区間がないＣＲ信号であっても、その受信時に鳴動状態に設定できるようにすることが必要である。また、この緊急機関からの折り返し信号は、現状ではＣＲ信号（連続Ｒｉｎｇ）を使用しているが、将来的にはこれに代わってＩＲ信号（通常Ｒｉｎｇ）を使用することが考えられている。したがって、この折り返し信号の変更にも対応できるようにしておく必要がある。
【０００６】
本発明は斯かる事情に鑑みてなされたものであり、緊急機関からＣＲ信号を受信した際にベル鳴動を行ってユーザに知らせることができるファクシミリ装置を提供することを目的とする。
【０００７】
本発明の目的は、ＣＲ信号から代替されたＩＲ信号を緊急機関から受信した際にベル鳴動を行ってユーザに知らせることができるファクシミリ装置を提供することにある。
【課題を解決するための手段】
【０００８】
本発明に係るファクシミリ装置は、受信した呼出信号のオン区間及び／またはオフ区間の時間に基づいて前記呼出信号の種類を判別し、判別した呼出信号の種類に応じた処理を実行するファクシミリ装置において、前記呼出信号のオン区間が所定時間以上連続するか否かを検知する検知手段と、前記呼出信号のオン区間が前記所定時間以上連続した場合に、鳴動状態に設定する設定手段とを備えることを特徴とする。
【０００９】
本発明のファクシミリ装置にあっては、受信した呼出信号のオン区間が所定時間以上連続した場合に、鳴動状態に設定する。よって、各種の待機モードにおいて、オフ区間がない１６ＨｚのＣＲ信号を受信した場合に、ベルが鳴動して、緊急機関からの呼出しをユーザに確実に知らせることが可能となる。この際、着信（回線閉結）して擬似ベルの鳴動状態を作り出しても良いし、または、擬似ベル鳴動ではなく、受信したＣＲ信号をそのまま電話機に送ってベルを鳴動させても良い。
【００１０】
本発明に係るファクシミリ装置は、受信した端末指定信号に基づいて着信先端末を切り替えるダイヤルイン機能を有するファクシミリ装置において、着信後に回線が閉結した状態で所定時間にわたり前記端末指定信号を受信したか否かを検知する検知手段と、前記所定時間にわたって前記端末指定信号を受信しない場合に、鳴動状態に設定する設定手段とを備えることを特徴とする。
【００１１】
本発明のファクシミリ装置にあっては、着信後に回線が閉結した状態で、所定時間にわたって端末指定信号を受信しない場合に、鳴動状態に設定する。よって、ダイヤルイン機能を有するファクシミリ装置において、ＣＲ信号に代わるＩＲ信号を受信した場合に、ベルが鳴動して、緊急機関からの呼出しをユーザに確実に知らせることが可能となる。この際、着信（回線閉結）後であるため、擬似ベルの鳴動状態に設定する。
【００１２】
本発明に係るファクシミリ装置は、発信元電話番号の通知サービスを受ける機能を有するファクシミリ装置において、前記通知サービスのためのＩＤ端末起動信号を受信しない状態で所定回数以上の呼出信号を受信したか否かを検知する検知手段と、前記所定回数以上の呼出信号を受信した場合に、鳴動状態に設定する設定手段とを備えることを特徴とする。
【００１３】
本発明のファクシミリ装置にあっては、ＩＤ端末起動信号を受信しない状態で所定回数以上の呼出信号を受信した場合に、鳴動状態に設定する。よって、発信元電話番号の通知サービスを受ける機能を有するファクシミリ装置において、ＣＲ信号に代わるＩＲ信号を受信した場合に、ベルが鳴動して、緊急機関からの呼出しをユーザに確実に知らせることが可能となる。
【発明の効果】
【００１４】
本発明のファクシミリ装置では、発信元番号通知サービス待機モード、ＦＡＸ／ＴＥＬ待機モード、ダイヤルイン待機モード、モデムダイヤルイン待機モードの何れの待機モードにあっても、ＣＲ信号を受信した場合に、ベルを鳴動させることができて、緊急機関からの呼出しをユーザに確実に知らせることができる。
【００１５】
また、将来的にＣＲ信号がＩＲ信号に置き換わるようになった場合にあっても、ベルを鳴動させることができて、緊急機関からの呼出しをユーザに確実に知らせることができる。
【発明を実施するための最良の形態】
【００１６】
以下、本発明をその実施の形態を示す図面を参照して具体的に説明する。なお、本発明は、以下の実施の形態に限定されるものではない。
【００１７】
図１は、本発明のファクシミリ装置の構成図である。ファクシミリ装置１は、ファクシミリ通信動作を行うファクシミリ装置本体２と、電話回線６との接続を制御するＮＣＵ（Network Control Unit）３と、通信相手との通話を行う第１電話機４及び第２電話機５とを備えている。
【００１８】
ファクシミリ装置本体２は、制御部２１，読取部２２，記録部２３，表示部２４，操作部２５，ＲＯＭ２６，ＲＡＭ２７，画像メモリ２８，タイマ２９，モデム３０などを有している。制御部２１は、具体的にはＣＰＵで構成されており、ファクシミリ装置１の上述したようなハードウェア各部を制御すると共に、ＲＯＭ２６に格納された制御プログラムに従って、種々のソフトウェア的機能を実行する。
【００１９】
読取部２２は、例えばＣＣＤを利用した光学系で原稿を読み取り、読み取った画像データを出力する。記録部２３は、電子写真方式のプリンタ装置であって、読取部２２にて読み取った原稿の画像データ、ファクシミリ通信により受信した画像データなどに応じた画像を用紙にプリントアウトする。
【００２０】
表示部２４は、液晶表示装置またはＣＲＴディスプレイなどの表示装置であり、ファクシミリ装置１の動作状態、または交換機から通知される発信元電話番号などの情報を表示する。操作部２５は、ファクシミリ装置１を操作するために必要な文字キー，テンキー，短縮ダイヤルキー，ワンタッチダイヤルキー，各種のファンクションキーなどを備えている。なお、表示部２４をタッチパネル方式とすることにより、操作部２５の各種のキーの内の一部または全部を代用することも可能である。
【００２１】
ＲＯＭ２６は、ファクシミリ装置１の動作に必要な種々のソフトウェアの制御プログラムを格納する。ＲＡＭ２７は、ソフトウェアの実行時に発生する一時的なデータを記憶する。また、ＲＡＭ２７は、着信に必要なＩＲ信号の受信回数を計数するリングカウンタ（図示せず）を有している。画像メモリ２８は、ＤＲＡＭなどで構成され、原稿を読み取って得られる画像データ、他のファクシミリ装置から受信した画像データなどを記憶する。      
【００２２】
タイマ２９は、種々の時間を計測するためのものであり、受信した呼出信号のオン区間が所定時間以上連続するか否かを検知する検知手段として機能する。また、制御部２１は、後述するような動作処理を行うことにより、タイマ２９の計時結果に基づいて、ファクシミリ装置１を鳴動状態に設定する設定手段として機能する。
【００２３】
次に、ＮＣＵ３の構成について説明する。モデム３０は、トランス３１を介して電話回線６と接続されている。ＣＭＬリレー３２は、電話回線６とモデム３０との間に配置され、制御部２１の制御により電話回線６を閉結または開放する。電話回線６は、閉結に伴ってモデム３０を介した直流ループを形成し、開放に伴ってその直流ループを開放する。極性反転検出回路３３は、電話回線６上を流れる電流の極性の反転を検出し、その検出結果を制御部２１へ出力する。
【００２４】
呼出信号検出回路３４は、電話回線６に接続され、その電話回線６上の１６Ｈｚの呼出信号を検出する。第１オフフック検出回路３５、第２オフフック検出回路３６は、それぞれ第１電話機４、第２電話機５のオフフックを検出する。直流電源供給回路３７は、各電話機４，５のオフフックを検出するために、各電話機４，５に所定電流を供給する。また、直流電源供給回路３７は、一般的な呼出信号と同様な信号である１６Ｈｚの擬似呼出信号を発生して、各電話機４，５を鳴動させ、ユーザに着信を知らせる機能を有している。      
【００２５】
第１リレー３８及び第２リレー３９は、各電話機４，５を電話回線６側と直流電源供給回路３７側とに選択的に接続するために設けられている。制御部２１の制御により、各リレー３８，３９が接点ａ側に切り換えられたときには、各電話機４，５が電話回線６側に接続され、各リレー３８，３９が接点ｂ側に切り換えられたときには、各電話機４，５が直流電源供給回路３７側に接続される。
【００２６】
次に、このように構成されたファクシミリ装置１の各待機モードでの動作について説明する。
【００２７】
（発信元番号通知サービス待機モード（ナンバーディスプレイ待機モード））
１６Ｈｚの呼出信号（ＣＩ信号）を受信すると、そのＣＩ信号のオン区間及びオフ区間の時間（パターン）を判別し、０．５秒周期のオン／オフ信号を検知した場合に、ＣＡＲ信号（ＩＤ受信端末起動信号）であると判断して、無鳴動で着信（回線閉結）し（１次応答）、続けて到来するＦＫＳ信号（表示用番号情報）を取得する。
【００２８】
発信元番号通知サービス待機モードでは、ＣＡＲ信号を受信することを想定して、無鳴動設定状態で待機している。ＣＩ信号を受信した場合、そのパターンからＣＡＲ信号であると判別したときには、発信元番号表示（ナンバーディスプレイ）の処理を行い、ＩＲ信号（通常Ｒｉｎｇ）であると判別したときには、鳴動状態に設定する。このＣＩ信号のパターンを判別するためには、オン区間／オフ区間の存在が必要である。ＣＲ信号を受信した場合には、オフ区間がないので、パターン判別を行えず、鳴動状態に設定できないことになる。
【００２９】
そこで本発明のファクシミリ装置１では、１６Ｈｚの呼出信号を受信した際に、電話回線６を開放した状態で、受信した呼出信号のオン区間が所定時間以上（例えば６秒以上）連続したか否かを判断し、オン区間が６秒以上連続した場合には、その呼出信号が緊急機関からのＣＲ信号であると判断して、ファクシミリ装置１を鳴動状態に設定する。この際、着信（回線閉結）してから、第１リレー３８を接点ｂ側に切り換えて直流電源供給回路３７側に第１電話機４を接続して第１電話機４で擬似ベルの鳴動状態を作り出す。または、擬似ベル鳴動ではなく、受信したＣＲ信号をそのまま第１電話機４に送ってベルを鳴動させても良い。以上のようにして、発信元番号通知サービス待機モードにおいて、ＣＲ信号を受信した場合に、ベルが鳴動して、緊急機関からの呼出しをユーザに確実に知らせることができる。
【００３０】
（ＦＡＸ／ＴＥＬ待機モード）
Ｒｉｎｇ１波（１回目のＣＩ信号）を検出したときに着信し、それに続くＣＮＧ信号の受信有無に基づいて、発呼側がファクシミリ装置であるか電話機であるかを判別する。つまり、オン区間及びオフ区間が存在する通常の呼出信号を受信して、次にＣＮＧ信号を検出した場合、発呼側がファクシミリ装置であると判別して、ファクシミリ受信処理を行う。一方、オン区間及びオフ区間が存在する通常の呼出信号を受信して、次にＣＮＧ信号を検出しない場合、発呼側が電話機であると判別して、第１リレー３８を接点ｂ側に切り換えて直流電源供給回路３７からの擬似呼出信号によって、第１電話機４で擬似ベルを３０秒間鳴動させる。このとき、擬似ベルを鳴動させながらＣＮＧ信号を検出している区間もある。
【００３１】
ＦＡＸ／ＴＥＬ待機モードでは、ＣＲ信号を受信した場合に、オフ区間がないので、Ｒｉｎｇ１波を検出できず、無鳴動状態のままであって、鳴動状態に設定できない。
【００３２】
そこで本発明のファクシミリ装置１では、１６Ｈｚの呼出信号を受信した際に、電話回線６を開放した状態で、受信した呼出信号のオン区間が所定時間以上（例えば６秒以上）連続したか否かを判断し、オン区間が６秒以上連続した場合には、その呼出信号が緊急機関からのＣＲ信号であると判断して、ファクシミリ装置１を鳴動状態に設定する。したがって、ＦＡＸ／ＴＥＬ待機モードにおいて、ＣＲ信号を受信した場合に、ベルが鳴動して、緊急機関からの呼出しをユーザに確実に知らせることができる。
【００３３】
（ダイヤルイン待機モード）
Ｒｉｎｇ１波を検出したときに着信し、それに続く端末指定信号（ＤＴＭＦ信号）を検出する。ＤＴＭＦ信号を検出した後、ＣＭＬリレー３２を開いて電話回線６を開放する。ＤＴＭＦ信号の内容に基づき、その内容が電話機に対応すれば、第１リレー３８または第２リレー３９を接点ｂ側に切り換えて直流電源供給回路３７からの擬似呼出信号によって、該当する第１電話機４または第２電話機５を鳴動させ、その内容がファクシミリ装置に対応すれば、ファクシミリ受信処理を実行する。
【００３４】
ダイヤルイン待機モードでは、ＣＲ信号を受信した場合に、オフ区間がないので、Ｒｉｎｇ１波を検出できず、無鳴動状態のままであって、鳴動状態に設定できない。
【００３５】
そこで本発明のファクシミリ装置１では、１６Ｈｚの呼出信号を受信した際に、電話回線６を開放した状態で、受信した呼出信号のオン区間が所定時間以上（例えば６秒以上）連続したか否かを判断し、オン区間が６秒以上連続した場合には、その呼出信号が緊急機関からのＣＲ信号であると判断して、ファクシミリ装置１を鳴動状態に設定する。したがって、ダイヤルイン待機モードにおいて、ＣＲ信号を受信した場合に、ベルが鳴動して、緊急機関からの呼出しをユーザに確実に知らせることができる。
【００３６】
（モデムダイヤルイン待機モード）
ＣＡＲ信号を検出して着信し、受信する端末指定信号（モデム信号（Ｖ．２３信号））の内容に基づいて、どの端末向けの着信かを判別する。そして、ＣＭＬリレー３２を開いて電話回線６を開放するが、その際、指定された端末（第１電話機４または第２電話機５）にしか電話回線６からの呼出信号（ＣＩ信号）が送られないように第１リレー３８及び第２リレー３９での接点ａ，ｂの切換え制御を行う。接続された電話機は、受信するＩＲ信号に応じて鳴動する。
【００３７】
モデムダイヤルイン待機モードでは、ＣＡＲ信号を受信することを無鳴動状態のままで待っているため、ＣＲ信号を受信した場合に、オフ区間がないので、パターン判別を行えず、鳴動状態に設定できない。
【００３８】
そこで本発明のファクシミリ装置１では、１６Ｈｚの呼出信号を受信した際に、電話回線６を開放した状態で、受信した呼出信号のオン区間が所定時間以上（例えば６秒以上）連続したか否かを判断し、オン区間が６秒以上連続した場合には、その呼出信号が緊急機関からのＣＲ信号であると判断して、ファクシミリ装置１を鳴動状態に設定する。したがって、モデムダイヤルイン待機モードにおいて、ＣＲ信号を受信した場合に、ベルが鳴動して、緊急機関からの呼出しをユーザに確実に知らせることができる。
【００３９】
図２及び図３は、このような各待機モードにおけるＣＲ信号受信時における鳴動状態設定を含む動作手順を示すフローチャートである。
【００４０】
制御部２１は、電話回線６を介して何らかの信号を検出したか否かを判断する（ステップＳ１）。信号を検出しない場合には（Ｓ１：ＮＯ）、その検出処理を継続する。信号を検出した場合（Ｓ１：ＹＥＳ）、制御部２１は、その受信信号の周波数を調べ（ステップＳ２）、その受信信号がＣＩ信号であるか否かを判断する（ステップＳ３）。受信信号がＣＩ信号である場合、つまりその周波数が１６Ｈｚである場合（Ｓ３：ＹＥＳ）、制御部２１は、そのＣＩ信号のオフ区間の検出処理を行う（ステップＳ４）。なお、受信信号がＣＩ信号でない場合、つまりその周波数が１６Ｈｚでない場合（Ｓ３：ＮＯ）、動作はＳ１に戻る。
【００４１】
制御部２１は、ＣＩ信号にオフ区間が存在するか否かを判断し（ステップＳ５）、存在しない場合（Ｓ５：ＮＯ）、そのオン区間の時間が一定時間以上（６秒以上）であるか否かを判断する（ステップＳ６）。オン区間の時間が６秒以上である場合（Ｓ６：ＹＥＳ）、制御部２１は、ＣＲ信号フラグを立てて（ステップＳ７）、鳴動状態に設定する（ステップＳ８）。なお、オン区間の時間が６秒未満である場合（Ｓ６：ＮＯ）、動作はＳ１に戻る。
【００４２】
そして、制御部２１は、電話機がオフフックになったか否かを判断し（ステップＳ９）、オフフックになった場合には（Ｓ９：ＹＥＳ）、着信する（ステップＳ１８）。オフフックにならない場合（Ｓ９：ＮＯ）、制御部２１は、ＣＲ信号の受信を継続しているか否かを判断し（ステップＳ１０）、継続しているとき（Ｓ１０：ＹＥＳ）、動作はＳ９に戻る。ＣＲ信号の受信がなくなったとき（Ｓ１０：ＮＯ）、制御部２１は、ＣＲ信号フラグを元に戻し（ステップＳ１１）、鳴動状態を解除して待機状態に戻す（ステップＳ１２）。
【００４３】
なお、オン区間の時間が６秒以上であった場合に、ＣＲ信号フラグを立てる理由は次の通りである。無鳴動着信設定の無鳴動リレー制御は、待機状態で１０ミリ秒毎に行われ、またＣＩ信号受信の度にも行われる。よって、ＣＲ信号を検出して鳴動状態に設定した場合でも、１０ミリ秒後、または次のＣＩ信号を受信した際に、また無鳴動状態に再設定される。このような無鳴動状態への再設定を防止するために、ＣＲ信号フラグを立てる。そして、無鳴動制御を実行するタイミングにおいて、このＣＲ信号フラグをチェックし、立っている場合には無鳴動状態への再設定を行わないようにする。
【００４４】
ＣＩ信号にオフ区間が存在する場合（Ｓ５：ＹＥＳ）、制御部２１は、そのＣＩ信号がＣＡＲ信号であるか否かを判断する（ステップＳ１３）、具体的には、０．５秒周期のオン区間／オフ区間が存在する場合に、ＣＡＲ信号であると判断する。ＣＡＲ信号である場合（Ｓ１３：ＹＥＳ）、制御部２１は、発呼元番号を特定するＦＳＫ信号を検出し（ステップＳ１４）、動作がＳ１に戻る。
【００４５】
そのＣＩ信号がＣＡＲ信号でない場合（Ｓ１３：ＮＯ）、制御部２１は、そのＣＩ信号が通常のＩＲ信号であるか否かを判断する（ステップＳ１５）。ＩＲ信号でない場合には（Ｓ１５：ＮＯ）、動作がＳ１に戻る。そのＣＩ信号がＩＲ信号である場合（Ｓ１５：ＹＥＳ）、制御部２１は、ＲＡＭ２７内のリングカウンタの計数値を１だけインクリメントする（ステップＳ１６）。
【００４６】
制御部２１は、リングカウンタの計数値が着信に必要な所定回数になったか否かを判断する（ステップＳ１７）。所定回数に達しない場合には（Ｓ１７：ＮＯ）、動作がＳ１に戻る。一方、所定回数に達した場合は（Ｓ１７：ＹＥＳ）、着信する（Ｓ１８）。
【００４７】
なお、ＣＲ信号であると判別するための基準となるオン区間の所定時間を６秒以上としたが、これは例示であって、６秒以上に限定されるものでないことは勿論である。
【００４８】
次に、将来的に緊急機関からの折り返し信号として、ＣＲ信号（連続Ｒｉｎｇ）に代わってＩＲ信号（通常Ｒｉｎｇ）を受信することに対応可能な本発明の他の実施の形態について説明する。
【００４９】
発信元番号通知サービス待機モード、及びＦＡＸ／ＴＥＬ待機モードにあっては、ＣＲ信号代替のＩＲ信号を受信した場合に、現状の制御システムでも鳴動するため、特別な対応は必要がない。よって、この場合の対応は、ダイヤルイン待機モード、及びモデムダイヤルイン待機モードに限って必要である。
【００５０】
本発明のファクシミリ装置１では、ダイヤルイン待機モードまたはモデムダイヤルイン待機モードの設定時に、電話回線６を閉結した状態で所定時間にわたって端末指定信号（ＤＴＭＦ信号またはモデム信号）を受信しない場合に、第１リレー３８を接点ｂ側に切り換えて、直流電源供給回路３７で生成した擬似ベル信号を第１電話機４に送って第１電話機４をベル鳴動させる。よって、ダイヤルイン機能を有するファクシミリ装置において、ＣＲ信号に代替されるＩＲ信号を受信した場合に、擬似ベルの鳴動状態に伴うベルが鳴動して、緊急機関からの呼出しをユーザに確実に知らせることができる。
【００５１】
図４及び図５は、このようなダイヤルイン待機モードでのＩＲ信号受信時における鳴動状態設定を含む動作手順を示すフローチャートである。
【００５２】
制御部２１は、電話回線６を介して何らかの信号を検出したか否かを判断する（ステップＳ２１）。信号を検出しない場合には（Ｓ２１：ＮＯ）、その検出処理を継続する。信号を検出した場合（Ｓ２１：ＹＥＳ）、制御部２１は、その受信信号の周波数を調べ（ステップＳ２２）、その受信信号がＣＩ信号であるか否かを判断する（ステップＳ２３）。受信信号がＣＩ信号である場合、つまりその周波数が１６Ｈｚである場合（Ｓ２３：ＹＥＳ）、制御部２１は、そのＣＩ信号のオフ区間を検出する（ステップＳ２４）。なお、受信信号がＣＩ信号でない場合、つまりその周波数が１６Ｈｚでない場合（Ｓ２３：ＮＯ）、動作はＳ２１に戻る。
【００５３】
制御部２１は、そのＣＩ信号がＩＲ信号であるか否かを判断する（ステップＳ２５）。ＩＲ信号でない場合には（Ｓ２５：ＮＯ）、動作がＳ２１に戻る。そのＣＩ信号がＩＲ信号である場合（Ｓ２５：ＹＥＳ）、制御部２１は、ＲＡＭ２７内のリングカウンタの計数値を１だけインクリメントする（ステップＳ２６）。
【００５４】
制御部２１は、リングカウンタの計数値が着信に必要な所定回数になったか否かを判断する（ステップＳ２７）。所定回数に達しない場合には（Ｓ２７：ＮＯ）、動作がＳ２１に戻る。一方、所定回数に達した場合は（Ｓ２７：ＹＥＳ）、着信する（ステップＳ２８）。
【００５５】
そして、制御部２１は、ＤＴＭＦ信号を検出したか否かを判断する（ステップＳ２９）。ＤＴＭＦ信号を検出しない場合（Ｓ２９：ＮＯ）、制御部２１は、このＤＴＭＦ信号の検出処理を所定時間にわたって行い（ステップＳ３０：ＮＯ）、所定時間にわたってＤＴＭＦ信号を検出しない場合（Ｓ３０：ＹＥＳ）、擬似ベル鳴動を開始する（ステップＳ３１）。
【００５６】
制御部２１は、電話機がオフフックになったか否かを判断し（ステップＳ３２）、オフフックになった場合には（Ｓ３２：ＹＥＳ）、通話制御を行う（ステップＳ３３）。このオフフック有無の検出処理は所定の鳴動時間にわたって行い（ステップＳ３４：ＮＯ）、所定の鳴動時間が過ぎれば（Ｓ３４：ＹＥＳ）、電話回線６を切断する（ステップＳ３５）。
【００５７】
ＤＴＭＦ信号を検出した場合（Ｓ２９：ＹＥＳ）、制御部２１は、検出したＤＴＭＦ信号をＲＡＭ２７に格納し（ステップＳ３６）、ＤＴＭＦ信号から４桁のＤＴＭＦを検出できるか否かを判断する（ステップＳ３７）。４桁のＤＴＭＦを検出できない場合には（Ｓ３７：ＮＯ）、動作がＳ２９に戻る。４桁のＤＴＭＦを検出できた場合（Ｓ３７：ＹＥＳ）、制御部２１は、検出したＤＴＭＦが登録番号と一致するか否かを判断する（ステップＳ３８）。一致しない場合には（Ｓ３８：ＮＯ）、電話回線６を切断する（ステップＳ３９）。
【００５８】
検出したＤＴＭＦが登録番号と一致する場合（Ｓ３８：ＹＥＳ）、制御部２１は、登録番号が電話機用であるか否かを判断する（ステップＳ４０）。電話機用である場合（Ｓ４０：ＹＥＳ）、制御部２１は、該当する電話機を擬似ベルで鳴動させ（ステップＳ４１）。動作がＳ３２に進む。登録番号が電話機用でない場合、つまりファクシミリ装置用である場合（Ｓ４０：ＮＯ）、ファクシミリ受信処理を開始する（ステップＳ４２）。
【００５９】
なお、モデムダイヤルイン待機モードにおいても、同様に、ＣＲ信号代替のＩＲ信号の受信時に鳴動状態に設定できるが、この場合の動作手順は、ＤＴＭＦ信号がモデム信号に変わるだけであって、図４及び図５に示したダイヤルイン待機モードでのフローチャートと同様であるので、その説明は省略する。
【００６０】
ところで、発信元番号通知サービス待機モード、モデムダイヤルイン待機モードでは、その設定によっては、ＣＡＲ信号を受信しなければ着信しないことがある。このような場合には、ＩＲ信号（通常Ｒｉｎｇ）を受信しても着信しない。よって、ＣＲ信号代替のＩＲ信号を受信しても、着信せずにベルが鳴動しないことになる。
【００６１】
そこで本発明のファクシミリ装置１では、ＣＡＲ信号を受信しなくて所定回数以上の呼出信号（Ｒｉｎｇ）を受信したか否かを判断し、所定回数以上の呼出信号（Ｒｉｎｇ）を受信した場合に、そのＩＲ信号が緊急期間からのＩＲ信号であると判断して、ファクシミリ装置１を鳴動状態に設定する。よって、ＣＡＲ信号が受信されない場合に着信しない設定としてあるファクシミリ装置において、ＣＲ信号に代替されるＩＲ信号を受信した場合に、ベルが鳴動して、緊急機関からの呼出しをユーザに確実に知らせることができる。
【図面の簡単な説明】
【００６２】
【図１】本発明のファクシミリ装置の構成図である。
【図２】緊急機関からのＣＲ信号受信時における鳴動状態設定を含む本発明のファクシミリ装置の動作手順を示すフローチャートである。
【図３】緊急機関からのＣＲ信号受信時における鳴動状態設定を含む本発明のファクシミリ装置の動作手順を示すフローチャートである。
【図４】ダイヤルイン待機モードでの緊急機関からのＩＲ信号受信時における鳴動状態設定を含む本発明のファクシミリ装置の動作手順を示すフローチャートである。
【図５】ダイヤルイン待機モードでの緊急機関からのＩＲ信号受信時における鳴動状態設定を含む本発明のファクシミリ装置の動作手順を示すフローチャートである。
【符号の説明】
【００６３】
１  ファクシミリ装置
２  ファクシミリ装置本体
３  ＮＣＵ
４  第１電話機
５  第２電話機
２１  制御部
２６  ＲＯＭ
２７  ＲＡＭ
２９  タイマ
３０  モデム
３２  ＣＭＬリレー
３４  呼出信号検出回路
３７  直流電源供給回路
３８  第１リレー
３９  第２リレー
【図１】
2007082150.tif 000003
【図２】
2007082150.tif 000004
【図３】
2007082150.tif 000005
【図４】
2007082150.tif 000006
【図５】
2007082150.tif 000007